(57)【要約】【課題】ＰＣがない場合においても、インターネット上の文書を印刷することが可能な印刷システムを提供する。【解決手段】インターネット４上に印刷装置１と、携帯電話２と、文書サーバー３が接続された印刷システムであって、携帯電話２を利用して印刷装置１にアクセスして、印刷装置１上の印刷条件を設定する。【選択図】        図１
2004220434.tif 000002
【特許請求の範囲】
【請求項１】
インターネット上に印刷装置と、携帯電話と、文書サーバーが接続された印刷システムであって、携帯電話を利用して印刷装置にアクセスして、印刷装置上の印刷条件を設定することを特徴とする印刷システム。
【請求項２】
請求項１の印刷システムにおいて、印刷装置が文書を印刷データに変換することを特徴とする印刷システム。
【請求項３】
請求項１の印刷システムにおいて、印刷装置が指定された文書サーバーにアクセスして、指定された文書を取得することを特徴とする印刷システム。
【請求項４】
請求項１の印刷システムにおいて、印刷装置が指定した時刻にインターネット上の文書を取得して印刷を行うことを特徴とする印刷システム。
【請求項５】
請求項１の印刷システムにおいて、携帯電話から印刷装置にアクセスして印刷を行う場合に、その結果をその携帯電話にメールで返送することを特徴とする印刷システム。
【請求項６】
請求項１の印刷システムにおいて、携帯電話から印刷装置にアクセスする場合に、印刷装置でそのアクセス権を確認することを特徴とする印刷システム。
【請求項７】
インターネット上に携帯電話及び文書サーバーと共に接続された印刷装置であって、携帯電話と送受信を行うと共に、インターネット上の文書サーバーから文書を取得するネットワーク制御部と、その取得した文書を印刷データに変換するデータ変換部と、印刷データを出力するプロッタとを備えたことを特徴とする印刷装置。
【発明の詳細な説明】
【０００１】
【発明の属する技術分野】
本発明は、携帯電話を利用して文書サーバー上の文書データを指定した時刻に印刷することが可能な印刷システム及び印刷装置（デジタル複写機、プリンタ等）に関するものである。
【０００２】
【従来の技術】
ＰＣ（パソコン）の利用者は自分の使用しているＰＣ上にデータを保存して利用するのが一般的であるが、インターネットを利用して、インターネットに接続されているサーバー上に文書を保存して、どこにいてもその文書を参照するような利用形態も増えてきている。
【０００３】
また、類似の技術として、印刷機能を持たない携帯電話やＰＤＡ等を利用している電子メールユーザがＰＣを持たなくても印刷でき、しかも企業広告などをその印刷内容に付加することができる簡易な構成のプリントシステムを提供する特許文献１の「プリントシステム、サーバ、プリンタアダプタ、プリンタ、印刷制御装置、印刷制御方法および記憶媒体」が知られている。
【０００４】
【特許文献１】
特開２００１−２９０７４２号公報
【０００５】
【発明が解決しようとする課題】
前記のような文書を印刷する場合には必ず、文書サーバーに接続するためのＰＣが必要となる。逆に言うとＰＣがない環境では印刷機に印刷させることができなかった。
【０００６】
本発明はＰＣがない場合においても、インターネット上の文書を印刷することが可能な印刷システム及び印刷装置を提供することを目的とする。
【０００７】
【課題を解決するための手段】
上記目的を達成するために、請求項１記載の発明は、インターネット上に印刷装置と、携帯電話と、文書サーバーが接続された印刷システムであって、携帯電話を利用して印刷装置にアクセスして、印刷装置上の印刷条件を設定する印刷システムを最も主要な特徴とする。
【０００８】
請求項２記載の発明は、請求項１の印刷システムにおいて、印刷装置が文書を印刷データに変換する印刷システムを主要な特徴とする。
【０００９】
請求項３記載の発明は、請求項１の印刷システムにおいて、印刷装置が指定された文書サーバーにアクセスして、指定された文書を取得する印刷システムを主要な特徴とする。
【００１０】
請求項４記載の発明は、請求項１の印刷システムにおいて、印刷装置が指定した時刻にインターネット上の文書を取得して印刷を行う印刷システムを主要な特徴とする。
【００１１】
請求項５記載の発明は、請求項１の印刷システムにおいて、携帯電話から印刷装置にアクセスして印刷を行う場合に、その結果をその携帯電話にメールで返送する印刷システムを主要な特徴とする。
【００１２】
請求項６記載の発明は、請求項１の印刷システムにおいて、携帯電話から印刷装置にアクセスする場合に、印刷装置でそのアクセス権を確認する印刷システムを主要な特徴とする。
【００１３】
請求項７記載の発明は、インターネット上に携帯電話及び文書サーバーと共に接続された印刷装置であって、携帯電話と送受信を行うと共に、インターネット上の文書サーバーから文書を取得するネットワーク制御部と、その取得した文書を印刷データに変換するデータ変換部と、印刷データを出力するプロッタとを備えた印刷装置を最も主要な特徴とする。
【００１４】
【発明の実施の形態】
以下、図面により本発明の実施の形態を詳細に説明する。図１は本発明の印刷システムの構成図である。本印刷システムは、インターネット４上に印刷装置１と、携帯電話２と、文書サーバー３が接続されている。
【００１５】
図２は本発明の印刷装置の構成図である。本印刷装置は、ＣＰＵ１１、ＲＯＭ１２、ＲＡＭ１３、ＨＤＤ１４、データ変換部１５、認証判定部１６、操作部１７、ネットワーク制御部１８、スキャナ１９、プロッタ２０、全体を制御するシステムコントローラ２１を備えている。ネットワーク制御部１８は、携帯電話２と送受信を行うと共に、インターネット４上の文書サーバー３から文書を取得する。データ変換部１５は、その取得した文書を印刷データに変換する。
【００１６】
図３は本発明の印刷システムの動作を示すフローチャートである。本印刷システムは、携帯電話２を利用して印刷装置１にアクセスして、印刷装置１上の印刷条件を設定することができるようになつている（Ｓ１〜Ｓ４）。また印刷装置１は、自動的にインターネット４上の文書サーバー３に、ネットワーク制御部１８を通じてアクセスし、指定された文書を取得する（Ｓ５〜Ｓ７）。そして取得した文書をデータ変換部１５により印刷用の中間データに変換して（Ｓ８）、プロッタ２０で印刷を行い（Ｓ９）、携帯電話２に印刷結果を送信する（Ｓ１０）ものである。
【００１７】
また本発明では、利用者が携帯電話２を利用して印刷装置１にアクセスした時に、印刷装置１上の部数、ソート設定、両面設定、ステープル設定などの印刷条件を設定するために、携帯電話１の表示画面上に現在の印刷条件を表示し、携帯電話１のキーを押下することにより印刷条件の設定を行うユーザインターフェースプログラムを印刷装置１から携帯電話２に対して送信する（Ｓ３）。また、このユーザインターフェースを利用して携帯電話１から印刷を行いたい文書名及び文書の場所（インターネット４上の文書サーバー３のアドレスと文書サーバー３上のディレクトリ）を印刷装置１に送信する。
【００１８】
また本発明では、印刷装置１が携帯電話２により指定された文書サーバー３に自動的にアクセスして指定された文書を取得するものである。印刷装置１はその文書の場所を検索し、指定された文書のアクセス権を確認し、取得できる状態であることを確認する。指定された場所に指定された文書が存在しない、またはアクセス権がないなどで取得できない場合は携帯電話２上の画面にその旨を表示する。アクセス権の確認は、携帯電話番号、暗証番号などを使用して携帯電話１から印刷装置１、印刷装置１から文書サーバー３にアクセス情報を渡すことにより行う。取得した文書を印刷装置１内のＨＤＤ１４上に保存しておくこともできる。
【００１９】
また本発明では、携帯電話２から印刷装置１にアクセスして印刷を行う場合に、印刷を行う時刻を指定するものである。印刷装置１は指定された時刻にインターネット４上の文書サーバー３にアクセスして指定された文書を取得し、その文書の印刷を行う。
【００２０】
携帯電話２から印刷装置１にアクセスして印刷を行う場合に、正常に印刷される他に、紙無しや紙詰まりなどで印刷できない場合もあるが、本発明では、そのような結果をその携帯電話２にメールで返送して、利用者に知らせるものである。
【００２１】
また本発明では、携帯電話２から印刷装置１にアクセスする場合に、印刷装置１にあらかじめ登録されている携帯電話番号、または暗証番号などを印刷装置１内の認証判定部１６で比較してアクセス権を確認し、許可されている利用者のみがアクセスできるようにするものである。
【００２２】
【発明の効果】
以上説明したように、請求項１、２、７記載の発明によれば、利用者が携帯電話を利用して、携帯電話から印刷装置上の印刷条件を設定することができ、携帯電話を利用して、近くに印刷装置、文書事体がなくてもインターネット上の文書を遠隔地の印刷装置で印刷することができる。また、印刷装置の置かれている場所に居る相手にその印刷物を渡すことができる。
【００２３】
請求項３記載の発明によれば、印刷装置がインターネット上の文書サーバーにアクセスし、指定された文書を取得することにより、利用者は印刷システムに文書を送る必要がなく、通信コストを削減することができる。
【００２４】
請求項４記載の発明によれば、利用者は、例えば、文書サーバー中の文書が共有されている場合に誰かが変更するであろう文書を今印刷することができないが、あらかじめ印刷時刻を指定することにより、最新の文書を印刷することができる。朝一番の会議で資料を用意したい場合などでも通勤途中で印刷を行うことができる。場所や時間の制約を受けることなく、最新の文書を印刷することができる。
【００２５】
請求項５記載の発明によれば、携帯電話から印刷装置にアクセスして印刷を行わせた場合に、印刷結果を携帯電話にメールで返送することにより、利用者は正常に印刷されたかどうかを確認することができる。また、その内容（印刷が正常に終了しなかった理由など）をメールにて通知することにより、その後の対応が取り易くなる。
【００２６】
請求項６記載の発明によれば、携帯電話から印刷装置にアクセスされた場合に、印刷装置であらかじめアクセス権を設定し、許可された利用者のみにアクセスさせることにより、セキュリティを確保することができる。
【図面の簡単な説明】
【図１】本発明の印刷システムの構成図である。
【図２】本発明の印刷装置の構成図である。
【図３】本発明の印刷システムの動作を示すフローチャートである。
【符号の説明】
１  印刷装置
２  携帯電話
３  文書サーバー
４  インターネット
【図１】
2004220434.tif 000003
【図２】
2004220434.tif 000004
【図３】
2004220434.tif 000005